(57)【要約】【課題】照射光量を低減させることなく、発光体の経時劣化や不具合の検知をコンパクトな構造で実現できる照明装置を提供する。【解決手段】並置された複数の発光体１０と、発光体１０の出射側となる前方に配置されたレンズ体２と、発光体１０の後方に配置された受光素子３１とを備え、レンズ体２は、発光体１０からの出射光を所定の方向に指向させる照射部２２と、隣接する複数の発光体１０の中間に配置されて照射部２２から外れた領域に入光する出射光を後方へ向けて反射する反射部２３と、反射された出射光を受光素子３１へ導く導光部２４とを有する。【選択図】図２
2010257867.tif 000002
【特許請求の範囲】
【請求項１】
並置された複数の発光体と、前記発光体の出射側となる前方に配置されたレンズ体と、前記発光体の後方に配置された受光素子とを備え、
前記レンズ体は、前記発光体からの出射光を所定の方向に指向させる照射部と、隣接する複数の発光体の中間に配置されて前記照射部から外れた領域に入光する各発光体の出射光を後方へ向けて反射する反射部と、反射された出射光を前記受光素子へ導く導光部とを有する照明装置。
【請求項２】
請求項１において、前記反射部が後方へ凹入した凹所とこの凹所の前方開口の周囲の平坦面とを有し、前記平坦面の内側で反射された出射光が前記凹所の側面の裏側で反射されて後方へ向かう照明装置。
【請求項３】
請求項２において、前記反射部の凹所が、平面視で隣接する４つの発光体の中心を結んだ四角形の中央に位置した四角錐状に形成されており、前記四角錐は後方へ向かって先細り形状であり、その各側面が対応する各発光体に対向している照明装置。
【請求項４】
請求項１から３のいずれか一項に記載の照明装置において、前記導光部が後方に向かって先細りの形状である照明装置。
【請求項５】
請求項１から４のいずれか一項に記載の照明装置において、前記発光体が装着された第１の配線基板と、前記受光素子が装着された第２の配線基板と、電気絶縁性の第１および第２のシートと、後方に開口した∪字形の横断面形状を有する高熱伝導性の支持体と、前記レンズ体、第１および第２の配線基板ならびに第１および第２のシートを収納する高熱伝導性のケースとを備え、
前記支持体の底壁の前面に前記第１のシートを介して前記第１の配線基板が支持され、
前記支持体の底壁の後面に前記第２のシートを介して前記第２の配線基板が支持され、
前記支持体の両側壁の後面が前記ケースの底壁に接触している照明装置。
【請求項６】
請求項５において、さらに、前記ケースの前面開口を覆うカバーと、このカバーと前記レンズ体との間に介在してレンズ体を後方に押圧することにより前記支持体をケースの底壁に押し当てる押さえ部材とを備えた照明装置。
【請求項７】
請求項１から６のいずれか一項に記載の照明装置において、前記レンズ体の照射部を露出させ、反射部を前方から覆うマスクが設けられている照明装置。
【請求項８】
請求項１から４、および６から７のいずれか一項に記載の照明装置において、前記発光体が第１の配線基板の前面に実装され、前記受光素子が前記第１の配線基板の後面に実装されている照明装置。
【発明の詳細な説明】
【技術分野】
【０００１】
本発明は、発光ダイオード（ＬＥＤ）のような発光体を光源として複数並置した照明装置に関する。
【背景技術】
【０００２】
発光体として複数のＬＥＤを光源とした照明装置は、例えば画像処理装置などで用いられるが、装置を長らく稼動していると、光源であるＬＥＤが経時劣化してその輝度や光量の低下を来たす場合がある。このような場合、経時劣化したＬＥＤに対し、電流を多めに流すことで一時的にその輝度や光量を向上させることがあるが、あくまで応急措置にすぎず、短期間にＬＥＤの交換を余儀なくされる。いずれにしてもＬＥＤの経時劣化や不具合は速やかに検知することが求められている。
【０００３】
そこで、このような照明装置では、常時、ＬＥＤから発せられる輝度や光量を監視し、ＬＥＤの経時劣化や不具合を検知する工夫が講じられている。例えば、図１６に示す照明システムは、ハウジング１００と、その内部底面に設けた基板１０２上に設置した複数のＬＥＤ１０１と、ＬＥＤからの光を集光する集光器１０３とを備え、この集光器１０３で集光した光を、光出射窓１０４に配置した拡散板１１０を経て、前記ハウジング１００の上部に配置した内面に反射コーティング１０５を設けた反射器１０９で反射させ、照射光を得る。この照明システムでは、集光器１０３の側面１０６から下方に突出した突出部１０７を設け、ＬＥＤ１０１からの光のうち出射窓１０４で反射した光の一部を、突出部１０７に導入し、これを前記基板１０２に設けた光センサ１０８で検知することで、ＬＥＤの輝度や光量の微妙な減少を検知し、ＬＥＤの経時劣化や不具合を判断するようになっている（特許文献１）。
【先行技術文献】
【特許文献】
【０００４】
【特許文献１】特表２００８−５１５１４０
【発明の概要】
【発明が解決しようとする課題】
【０００５】
しかしながら、前記特許文献１の照明システムの場合、前記突出部１０７から取り出したＬＥＤの出射光は、本来、照射光として利用できるものであるから、このような取出しによって、僅かながらとはいえ、照射光量を低減させる。また、前記反射器１０９や突出部１０７を持つため、照明装置が大型化していた。
【０００６】
本発明の目的は、照射光量を低減させることなく、発光体の経時劣化や不具合の検知をコンパクトな構造で実現できる照明装置を提供することにある。
【課題を解決するための手段】
【０００７】
前記目的を達成するために、本発明に係る照明装置は、並置された複数の発光体と、前記発光体の出射側となる前方に配置されたレンズ体と、前記発光体の後方に配置された受光素子とを備え、前記レンズ体は、前記発光体からの出射光を所定の方向に指向させる照射部と、隣接する複数の発光体の中間に配置されて前記照射部から外れた領域に入光する各発光体の出射光を後方へ向けて反射する反射部と、反射された出射光を前記受光素子へ導く導光部とを有する。
【０００８】
この構成によれば、レンズ体の照射部から外れた領域に入光する出射光が、レンズ体の反射部および導光部を経て受光素子へ導かれるので、この受光素子で発光体からの輝度や光量を検知して、発光体の経時劣化の有無を判断できる。このように、受光素子での受光に用いられる出射光は、照射部から所定方向に指向させて有効利用される出射光ではなく、照射部から外れた領域に入光される、本来、利用されず迷光として無駄になる光であるため、照明装置の照射光量が低減しない。また、レンズ体の反射部は、隣接する複数の発光体の中間に配置されているので、複数の発光体からの出射状態を同時に認識して、複数の発光体の経時劣化の有無を同時に判断できる。さらに、受光素子を発光体の後方に配置しているため、証明装置の幅寸法の増大が抑制される。
【０００９】
本発明において、前記反射部が後方へ凹入した凹所とこの凹所の前方開口の周囲の平坦面とを有し、前記平坦面の内側で反射された出射光が前記凹所の側面の裏側で反射されて後方へ向かうようにしてもよい。このように反射作用を利用することで、出射光を円滑に後方へ向かわせることができるとともに、構造の簡略化が図れる。
【００１０】
本発明において、前記反射部の凹所が、平面視で隣接する４つの発光体の中心を結んだ四角形の中央に位置した四角錐状に形成されており、前記四角錐は後方へ向かって先細り形状であり、その各側面が対応する各発光体に対向している構成とするのが好ましい。ここで、「四角錐状」とは、四角錐と四角錐台の両方を含む形状である。この構成によると、反射部の凹所は後方へ向かって先細り形状の四角錘状に形成されているので、前記凹所の周りの４つの発光体からの光を効率よく導光部へ導光できる。しかも、前記四角錐の各側面が各発光体に対向しているので、いずれの発光体からの光も対応する側面で反射され、均等に導光部へ導光できる。
【００１１】
本発明において、前記導光部が後方に向かって先細りの形状であるのがよい。ここで、先細りの形状とは、円錐状でも四角錘状であってよい。この構成によれば、反射部の凹所の各側面にて反射された発光体からの光は前記導光部に導かれ、この導光部が後方に向かって先細りの形状であるため、導光部の中心部分に集光される。これにより、前記受光素子での受光量が多くなる。
【００１２】
本発明において、好ましくは、前記発光体が装着された第１の配線基板と、前記受光素子が装着された第２の配線基板と、電気絶縁性の第１および第２のシートと、後方に開口した∪字形の横断面形状を有する高熱伝導性の支持体と、前記レンズ体、第１および第２の配線基板ならびに第１および第２のシートを収納する高熱伝導性のケースとを備え、前記支持体の底壁の前面に前記第１のシートを介して第１の配線基板が支持され、前記支持体の底壁の後面に前記第２のシートを介して第２の配線基板が支持され、前記支持体の両側壁の後面が前記ケースの底壁に接触している。ここで、高熱伝導性とは、常温（２５℃）で５Ｗ／（ｍ・Ｋ）以上の熱伝導率を有することをいい、シリコン、鉄、アルミニウムなどが該当する。
【００１３】
この構成によると、本来の機能である照射機能と発光体の経時劣化を検知する検知機能とを併せ持つコンパクトな照明装置を得ることができる。また、支持体とケースが高熱伝導性であり、支持体の両側壁の後面がケースの底壁に接触しているので、内部で発生した熱は支持体およびケースを介して外部に放熱されるから、第１の配線基板や第２の配線基板が熱影響を受け難く、熱損傷を極力回避できる。
【００１４】
本発明において、さらに、前記ケースの前面開口を覆うカバーと、このカバーと前記レンズ体との間に介在してレンズ体を後方に押圧することにより前記支持体をケースの底壁に押し当てる押さえ部材とを備えていてもよい。前記ケースの前面開口がカバーで覆われることで上方からの粉塵や湿気などの異物の侵入を防止でき、また、レンズ体は押さえ部材により安定して支持体に支持されるので、照明装置に対して多少の振動が加わってもレンズ体が位置ずれせず、その指向性および導光性が損われないから、安定した照射および導光が行われる。
【００１５】
本発明において、前記レンズ体の照射部を露出させ、反射部を前方から覆うマスクが設けられてもよい。反射部のみが前方からマスクで覆われるので、外部からの光は前記マスクによって反射されるので、反射部から導光部を経て受光素子に入光することがないうえ、反射部から外部へ透りぬける、発光体からの一部の光も、マスクで反射されて、導光部に導かれる。したがって、発光体からの出射光の一部のみを受光素子で受光できるので、発光体の経時劣化を精度よく検知できる。
【００１６】
本発明において、前記発光体が第１の配線基板の前面に実装され、前記受光素子が前記第１の配線基板の後面に実装されていてよい。このようにすれば、配線基板の数、第１および第２のシートのいずれか一方、および支持体を削減できて、構造が簡略化されるとともに、前後方向の寸法も小さくでき、よりコンパクトな照明装置とすることができる。
【発明の効果】
【００１７】
本発明によれば、レンズ体の照射部から外れた領域に入光する出射光が、レンズ体の反射部および導光部を経て受光素子へ導かれるので、この受光素子で発光体からの輝度や光量を検知して、発光体の経時劣化の有無を判断できる。このとき、本来、利用されず迷光として無駄になる光を受光素子へ導いているので、照明装置の照射光量が低減しない。また、複数の発光体からの出射状態を同時に認識して、複数の発光体の経時劣化の有無を同時に判断できる。さらに、受光素子を発光体の後方に配置しているため、照明装置の幅寸法の増大が抑制される。
【図面の簡単な説明】
【００１８】
【図１】本発明の第１実施形態にかかる照明装置の分解斜視図である。
【図２】同照明装置の縦断面図である。
【図３】同照明装置の平面図である。
【図４】同照明装置の正面図である。
【図５】同照明装置を斜め上方から見た斜視図である。
【図６】同照明装置を斜め下方から見た斜視図である。
【図７】レンズ体の平面図である。
【図８】同レンズ体を入射方向から見た斜視図である。
【図９】第１の配線基板の平面図である。
【図１０】第２の配線基板の平面図である。
【図１１】第１実施形態の動作を説明する要部拡大断面図である。
【図１２】本発明の第２実施形態にかかる照明装置で用いるマスクとレンズ体を示す分解斜視図である。
【図１３】第２実施形態の動作を説明する要部拡大断面図である。
【図１４】本発明の第３実施形態にかかる照明装置の横断面図である。
【図１５】同照明装置で用いる第１の配線基板の底面図である。
【図１６】従来の照明装置を示す縦断面図である。
【発明を実施するための形態】
【００１９】
以下、本発明の第１実施形態について図面を参照しながら詳述する。図１は本発明の第１実施形態にかかる照明装置の分解斜視図を示す。この照明装置は、ＬＥＤからなる複数の発光体１０が装着された第１の配線基板１と、前記第１の配線基板１の発光体１０の出射側となる前方（図１の上方）に配置されたレンズ体２と、前記発光体１０の後方（図１の下方）に位置する受光素子３１が装着された第２の配線基板３と、電気絶縁性および高熱伝導性を有する第１および第２のシート４，５と、後方に開口したＵ字形の横断面形状を有する高熱伝導性の支持体６と、前記レンズ体２、第１および第２の配線基板１，３ならびに第１および第２のシート４，５を収納する高熱伝導性のケース７とを備えている。発光体１０は３列に配置されており、各列に５個の発光体１０が等ピッチで並んで、合計１５個設けられている。隣接する列の発光体１０は互いに半ピッチずれている。前記支持体６の底壁６０の前面に前記第１のシート４を介して第１の配線基板１が支持され、前記支持体６の底壁６０の後面に前記第２のシート５を介して第２の配線基板３が支持されている。
【００２０】
前記支持体６の両側壁６１，６１は、縦断面図である図２に示すように、前方に開口した横断面Ｕ字形状を持つ前記ケース７の側壁７１，７１の内面に、僅かな隙間をあけて近接しているが、これに接触させてもよい。図１に示す支持体６の各側壁６１の後面６１ａは、ケース７の底壁７０の内面に接触している。支持体６には、挿通孔６２が貫通して設けられ、後述するレンズ体２の導光部２４が挿通できるようになっている。
【００２１】
前記第１のシート４は、例えば電気絶縁性および熱伝導性に優れたシリコンシートで形成され、粘着性を付与したものがよく、第２のシート５も、例えばシリコンシートで形成されている。これらのシート４，５は、支持体６とともに、発光体１０や後述する制御用電子部品６３からの熱をケース７側に伝導して照明装置内部を放熱冷却する役割を果たし、第１および第２の配線基板１，３を保持する機能をも併せ持つ。また、第１の配線基板１には挿通孔１１が、第１のシート４には挿通孔４１が、それぞれ設けられ、組付時に、挿通孔１１および挿通孔４１に後述する導光部２４が挿通されるようになっている。前記支持体６およびケース７はいずれも熱伝導性に優れた材料、例えばアルミニウムで形成されているから、内部で発生した熱は支持体６およびケース７を通して外部に放熱されるので、第１の配線基板１や第２の配線基板３が、発光体１０および電子回路の発熱による熱影響を受け難くなり、熱損傷を極力回避できる。
【００２２】
さらに、前記ケース７の前面開口はカバー８で覆われ、このカバー８と前記レンズ体２との間に薄板状の一対の押さえ部材１２，１２が設けられている。カバー８のケース７への取付により、押さえ部材１２がカバー８により押し下げられてレンズ体２を後方に押圧することにより、前記支持体６をケース７の底壁７０に押し当てている。また、前記ケース７の両側開口には、これを閉止する端板１３，１３がねじ体１５Ａ，１５Ｂによりケース７に取り付けられている。前記カバー８は透明樹脂のような透過性に優れた素材で形成されており、ケース７の後方（下方）隅部には、照明装置の組立後、前記第１の配線基板１に接続された電線１６を外部に引き出すための取出孔７２が設けられている。第１の配線基板１と第２の配線基板３の間は、図示しない接続線により電気的に接続されている。
【００２３】
図２に示すように、第１の配線基板１上に装着された複数の発光体１０の出射側となる前方にレンズ体２が配置されている。このレンズ体２は、前記発光体１０からの出射光を所定の方向である前方に指向させる複数の照射部２２と、隣接する複数の発光体１０，１０の中間に配置されて前記照射部２２から外れた領域の一部分に入光する出射光を後方へ向けて反射する複数の反射部２３と、反射された出射光を前記受光素子３１へ導く導光部２４とを有する。この導光部２４は、第２の配線基板３に実装した受光素子３１の入光面（上面）を覆うように配置されているバンドパスフィルタ１７の上面に、接触または近接するように延設されている。バンドパスフィルタ１７は特定波長の光のみを透過するもので、この特定波長の光が前記受光素子３１で受光される。バンドパスフィルタ１７はなくてもよい。前記第２の配線基板３の裏面側には制御用電子部品６３が実装されている。
【００２４】
各記照射部２２は第１の配線基板１に実装した各発光体１０の真上に位置しており、半球状に形成されている。要部拡大断面図である図１１に示すように、前記反射部２３は前記照射部２２，２２の間の谷部に当る位置に設けられ、後方へ凹入した凹所２３ａとその前方開口の周囲の平坦面２３ｂとを有し、前記平坦面２３ｂのレンズ体２内側で反射された出射光が前記凹所２３ａの側面の裏側（レンズ体２内側）で反射されて後方へ向かうように設定されている。前記凹所２３ａは、後方へ向かって先細り形状となる四角錐の側面２３ａａと底面２３ａｂとを有する四角錐台状である。
【００２５】
照射部２２ａは、レンズ体２の平面図である図７に示すように、平面視で隣接する４つの照射部２２の中心、すなわち、発光体１０の中心を結んだ四角形の中央に位置しており、その四角錘の各側面２３ａａが対応する各発光体１０に対向している。つまり、図９の第１の配線基板１には、４つの発光体１０からなる発光体群１０Ｇが２つあり、各発光体群１０Ｇ内で長手方向において相対向する発光体１０，１０の中心Ｃ１，Ｃ１を結ぶ中心線Ｈ１と前記長手方向と直交する横方向において相対向する発光体１０，１０の中心Ｃ２，Ｃ２を結ぶ中心線Ｈ２との交点上に、図７の凹所２３ａの中心Ｃが位置している。凹所２３ａの形状は、その周りの発光体１０の数によって変わる。凹所２３ａの周りの発光体１０が３個である場合、凹所２３ａは三角錐台の形状となり、５個である場合、凹所２３ａは五角錐台の形状となる。
【００２６】
このようにして組立てられる照明装置は、カバーを外した照明装置の平面図である図３に示すように、レンズ体２には照射部２２が所定間隔で千鳥状に１５個設けられ、上下・左右に隣接する４つの照射部２２からなる照射群２２Ｇが２つあり、各照射群２２Ｇの中央に反射部２３が位置している。長手方向両端に配置された端板１３，１３の前面のねじ孔１３ａは、前述した図１のカバー８のねじ挿通孔８ａと合致する部位に設けられ、ねじ体１５Ｃにより端板１３に取付けられて、ケース７の前方（上方）開口を閉止している。
【００２７】
正面図である図４に示すように、ケース７の長手方向両端の上部（前部）に、ねじ挿通孔７ａ，７ａが設けられ、このねじ挿通孔７ａと図１の押さえ部材１２のねじ挿通孔１２ａにねじ体１５Ａを挿通し、端板１３のねじ孔１３ｂにねじ込むことにより、端板１３に対してケース７と押さえ部材１２を共締めしている。これにより、前記押さえ部材１２がレンズ体２および第１の配線基板１を押え付けるとともに、支持体６の側壁６１をケース７の底壁７０に押し当てている。
【００２８】
斜め上方から見た斜視図である図５に示すように、図１に示す第１の配線基板１の裏面端部に固着された電線１６が、ケース７の取出孔７２から外部に引き出されている。また、図６に示すように、ケース７の裏面にはバーリングによるめねじが形成された取付ねじ部１９，１９が形成され、この取付ねじ部１９，１９を利用して、照明装置が図示しない他の機器に取り付けられる。
【００２９】
図８に示すように、レンズ体２の裏面側に向かって突出した導光部２４は、先細りの円錐台形状である。レンズ体２の裏面側中央部には突起２８が形成されており、図９の第１の配線基板１の上に重ね合せる際に、前記突起２８を、第１の配線基板１の小孔２９に嵌め込むことで、両者の位置決めをしやすくしてある。
【００３０】
図１０に示すように、第２の配線基板３は、図２の下向きＵ字形の支持体６に収納されるため、前記第１の配線基板１よりも若干横幅が小さい形状に形成されており、その上面側に受光素子３１，３１が実装されている。この受光素子３１は、図１１に示すように、反射部２３の下方、つまり、導光部２４の先端に対向する位置に設けられている。図１０の第２の配線基板３には、２つの取付孔３２が形成されており、図１に示すように、第２の配線基板３の裏面側から、ねじ体１５Ｄにより、第２のシート５の取付孔５１を介して支持板６に取り付けられる。前記第２のシート５には切欠部５２が形成されており、組付時に、前記切欠部５２に前記受光素子３１が収容される。
【００３１】
つぎに、この第１実施形態にかかる照明装置の動作について説明する。図１１に示す第１の配線基板１に実装された発光体１０が発光すると、発光体１０からの光の大半は、レンズ体２の半球状の照射部２２から照射光Ｖ１となって出射する。発光体１０からの出射光のうち、図１１の右側方向に向く光Ｖ２はレンズ体２の平板部２７で全反射を起こし、そのままでは照射光として有効利用されない。一方、左側方向に向く光のうち、レンズ体２の反射部２３の凹所２３ａに直接入光した光Ｖ３は屈折しながら外部へ出射するが、レンズ体２の反射部２３の平坦面２３ｂに当った光Ｖ４は、その裏面（発光体２内側）で全反射したのち、さらに凹所２３ａの側面２３ａａの裏面（発光体２内側）で全反射して、下方に延出した導光部２４に導かれる。このように、平坦面２３ｂと凹所２３ａによる反射作用を利用することで、出射光の一部分を容易に後方の導光部２４へ向かわせることができる。
【００３２】
このとき、光の一部は導光部２４の円錐状の側面で全反射し、導光部２４の中心方向へ向かう光線Ｖ５となり、効果的に集光されて、受光素子３１の中央にある感応部（図示せず）に入光する。これにより、受光素子３１への入光量が多くなるので、発光体１０の輝度や光量の変化を検出する精度が向上する。
【００３３】
受光素子３１での受光に用いられる出射光は、照射部２２から所定方向に指向させて有効利用される照射光Ｖ１ではなく、本来、利用されず迷光として無駄になる光であるため、照明装置の照射光量が低減しない。また、レンズ体２の反射部２２は、隣接する複数の発光体１０の中間に配置されているので、複数の発光体１０からの出射状態を同時に認識して、複数の発光体１０の経時劣化の有無を同時に判断できる。この例では、受光素子３１での受光量が低下したとき、４つの発光体１０の一つ以上が劣化していると判断できる。さらに、受光素子３１を発光体１０の後方に配置しているため、照明装置の幅寸法の増大が抑制される。このように、第１実施形態によれば、本来の機能である照射機能と発光体１０の経時劣化を検知する検知機能とを併せ持つコンパクトな照明装置を得ることができる。
【００３４】
また、ケース７の前面開口をカバー８で覆うので、上方からの粉塵や湿気などの異物の侵入を防止できる。さらに、前記押さえ部材１２，１２によりレンズ体２が安定して支持体６に支持されるので、照明装置に対して多少の振動が加わっても、レンズ体２が位置ずれせず、その指向性および導光性が損われないから、安定した照射および導光が行われる。
【００３５】
つぎに、本発明の第２実施形態について、図１２を参照しながら説明する。この第２実施形態では、レンズ体２の上側にマスク５０を配置して、照射部２２を除いたレンズ体２の前面を覆っている（図２参照）。このマスク５０は、レンズ体２の照射部２２に対応する部分が円形の切欠部５１が形成されており、その他の部分、つまり、レンズ体２の反射部２３および平板部２７に対応する部分を覆っている。このマスク５０の素材としては、光線が不透過なものであればよく、例えばステンレス板である。
【００３６】
また、マスク５０は裏面、つまり、レンズ体２との接触面に反射性コーティングを施したものであってもよい。マスク５０の裏面に反射性コーティングを施した場合には、反射部２３での反射量を増大させて、図２の受光素子３１への入光量を増大させることができる。すなわち、図１３に示すように、発光体１０からの光は、図１３の左側方向に向く光のうち、レンズ体２の反射部２３の凹所２３ａの側面２３ａａを透過した光も、マスク５０で反射されて、その一部Ｖ６が導光部２４へ導かれ、導光部２４を通って下方の受光素子３１に入光するので、受光素子３１での入光量が増大する。マスク５０で反射された光の他の一部Ｖ７は，隣接する照射部２２側に入光して、有効な照射光Ｖ１となって出射される。
【００３７】
このように、第２実施形態によれば、発光体１０からの出射光のうち、レンズ体２の照射部２２から外れた領域に入光する光は、マスク５０の存在により外部へは出射されない。その結果、マスク５０が存在しない場合に外部へ漏れ出る光についても導光部２４に導いて受光素子３１で受光できるので、受光素子３１での受光感度が向上する。また、マスク５０で反射された光の一部が有効な照射光となるので、照射光量も増大する。
【００３８】
つぎに、本発明の第３実施形態について、図１４を参照しながら説明する。この第３実施形態では、発光体１０が前面に実装された第１の配線基板１を利用して、その後面に受光素子３１が実装されている。また、この後面には、電線１６がはんだ接続される接続端子７６が設けられている。バンドパスフィルタ１７は設けられていない。なお、接続端子７６は、図１の第１実施形態における第１の配線基板１の後面にも設けられている。
【００３９】
このように、この第３実施形態は、前記第１実施形態に比べ、支持体６、第２のシート５、バンドパスフィルタ１７などの部品点数を削減できて、高さを小さくでき、一層コンパクトな照明装置が得られる。図１４では、レンズ体２の反射部２３の上にマスク５０を配置したものを例示したが、マスク５０はなくてもよい。また、この第３実施形態では、照明装置のコンパクト化を図るところが特徴であるため、図２に示した第１実施形態のような制御用電子部品６３を収納するスペースをなくしており、制御用電子部品は、照明装置の外部に設けられる。勿論、制御用電子部品を第１の配線基板１に実装してもよい。
【００４０】
以上のとおり、図面を参照しながら好適な実施形態を説明したが、当業者であれば、本件明細書を見て、自明な範囲内で種々の変更および修正を容易に想定するであろう。したがって、そのような変更および修正は、添付の特許請求の範囲から定まるこの発明の範囲内のものと解釈される。
【符号の説明】
【００４１】
１  第１の配線基板
２  レンズ体
３  第２の配線基板
４  第１のシート
５  第２のシート
６  支持体
７  ケース
８  カバー
１０  発光体
１２  押さえ部材
２２  照射部
２３  反射部
２３ａ  凹所
２３ｂ  平坦面
２４  導光部
２７  平板部
３１  受光素子
５０  マスク
６０  支持体の底壁
７０  ケースの底壁
【図１】
2010257867.tif 000003
【図２】
2010257867.tif 000004
【図３】
2010257867.tif 000005
【図４】
2010257867.tif 000006
【図５】
2010257867.tif 000007
【図６】
2010257867.tif 000008
【図７】
2010257867.tif 000009
【図８】
2010257867.tif 000010
【図９】
2010257867.tif 000011
【図１０】
2010257867.tif 000012
【図１１】
2010257867.tif 000013
【図１２】
2010257867.tif 000014
【図１３】
2010257867.tif 000015
【図１４】
2010257867.tif 000016
【図１５】
2010257867.tif 000017
【図１６】
2010257867.tif 000018